Podtech/llm-jp-corpus-v4-ja_patent huggingface dataset:
(57)【要約】【課題】  合成樹脂製フタ付ハンガーの耐荷重強化とネジレに対する強度を高める構造と、本体上ブタと下ブタの結合を強固にする溶着方法を提供することである。【解決手段】従来適用されている嵌合用リブセットでの結合の他に、組合せ用クロスリブセットを設置して、それらの組合せ用クロスリブセットを組合せる。さらに、その組合せリブセットの位置を下ブタの高周波溶着位置きめ部にて高周波溶着を施す。この方法により、ハンガー本体の上ブタと下ブタの結合が強化され、耐荷重と耐ネジレ強度を増大することが可能となる。【選択図】図５
2007215968.tif 000002
【特許請求の範囲】
【請求項１】
本体が上下に分割された部材で構成される曲線を持つ、合成樹脂製衣料用ハンガーにおいて、ハンガー上ブタ、本体下ブタの内部に複数の嵌合用リブとそれらのリブを受ける嵌合用リブ受けを設置して、それらを嵌合させ一体化し固定する機構を持たせる。  また、そのハンガー上ブタと下ブタの一体化を強固にするため前記のリブ及びリブ受けの他に、複数のクロスリブとその受け部を設ける。嵌合されたハンガー本体上ブタと下ブタをクロスリブ設置部のハンガー本体下ブタに設けられた高周波溶着位置決め箇所で高周波溶着をすることにより完全に分割されていたハンガー本体を一体化することが出来る。高周波溶着と従来の嵌合工法に加え、クロスリブによる組合せ方式を使用して固定するためハンガー本体上ブタと下ブタの結合が強固になり、ハンガー本体の肉厚を薄くすることが出来るため軽く機能性に富み、上下に対する耐荷重を増大し、その上ネジレに対して強固な構造を有する合成樹脂製衣料用ハンガーを製産するための構造と結合方法。
【発明の詳細な説明】
【技術分野】
【０００１】  合成樹脂製衣料用ハンガーの構造と溶着方法に関する。
【背景技術】
【０００２】  合成樹脂製衣料用ハンガーにおいて、耐荷重を高め、ネジレに対しさらに強く、その上、軽量化を図りつつ、嵌合強度や本体同志の溶着力を高めるための方法が模索されていた。
【発明の開示】
【発明が解決しようとする課題】
【０００３】  フタ付ハンガーは衣類の形状を保持し易く，また、軽量化により単価を軽減するために開発されたものである。しかしながら，耐荷重やネジレに対する強度、さらに本体の結合強度等に関して問題点が多々ある。それらの問題点を一挙に解決できるような生産方法を提案することである。
【課題を解決するための手段】
【０００４】  ハンガー本体上ブタ１、下ブタ４に嵌合用のリブセット２，５の他、補強用の組合せ用のクロスリブセット３、６を設置する。【０００５】  組合せ用クロスリブセット３、６の結合によりハンガー本体上ブタ１と下ブタ４の結合を強化する．【０００６】  組合せ用クロスリブセット３，６の位置を高周波溶着で溶着してハンガー本体上ブタ１と下ブタ４の結合をさらに固定化する。【０００７】  組合せ用リブセット３，６の結合により強化されたハンガー本体上ブタ１と下ブタ４は、通常の嵌合用リブセット２、５のみでの結合よりハンガー本体上ブタ１と下ブタ４の密着度を高める効果を得られる．
【発明の効果】
【０００８】  ハンガー本体上ブタと下ブタに設けられた、組合せ用クロスリブ３と組合せ用クロスリブ受け６を高周波溶着することにより、結合強度が従来の結合方法に較べ格段高められる。【０００９】  組合せ用クロスリブ３と組合せ用クロスリブ受け６との高周波溶着による結合により、ネジレに対する強度、耐荷重が大幅に増大できる。
【実施例】
【００１０】  図１及び図２で示されるように、フタ付ハンガーのハンガー本体上ブタ１、ハンガー本体下ブタ４に複数の嵌合用リブ２、及びそれらを受ける嵌合用リブ受け５を設ける。【００１１】  更に、図３及び図４で確認できる通り、設置された嵌合用リブセット２、５の他に、複数の組合せ用クロスリブ３と、組合せ用リブ受け６を設置する。【００１２】  図５のように、組合せ用クロスリブセット３、６を嵌合用リブセット２、５と同様に隙間無く組合せる。このことにより、従来の単純な嵌合用リブセット２、５のみの組合せより格段に結合強度が高まる。【００１３】  図６が示す通り、ハンガー本体下ブタ４の高周波溶着位置きめ部８の位置が確認された後、同位置にて高周波溶着を施し、ハンガー本体上ブタ１、下ブタ４を固定する。【００１４】  図６で判別できる通り、高周波溶着が施される場所は、組合せ用クロスリブセット３、６が設置されている箇所である。
【図面の簡単な説明】
【００１５】
【図１】ハンガー本体上ブタ１の形状と嵌合用リブ２の設置を示す側面図である。
【図２】ハンガー本体下ブタ４の形状と嵌合用リブ受け５の設置を示す側面図である。
【図３】ハンガー本体上ブタ１６を下方向から見た図で、組合せ用クロスリブ３の設置とその形状を示す図である。
【図４】ハンガー本体下ブタ４を上方向から見た図で、組合せ用クロスリブ受け６の設置とその形状を示す図である。
【図５】ハンガー本体袖部内部で組合せ用クロスリブセット３，６がどのように組み合わさっているかを示す状態を側面から見た図である。
【図６】ハンガー本体袖部を下方向から見た図で、高周波溶着位置きめ部８と組合せ用クロスリブセット３，６が正面内部でどのように組み合わさっているがを示す図である。
【符号の簡単な説明】
【００１６】１．ハンガー本体上ブタ                  ５．嵌合用リブ受け
２．嵌合用リブ                          ６．組合せ用クロスリブ受け
３．組合せ用クロスリブ                  ７．フック挿入部
４．ハンガー本体下ブタ                  ８．高周波溶着位置きめ部
【図１】
2007215968.tif 000003
【図２】
2007215968.tif 000004
【図３】
2007215968.tif 000005
【図４】
2007215968.tif 000006
【図５】
2007215968.tif 000007
【図６】
2007215968.tif 000008
(57)【要約】【課題】  従来、事業所又は町内会等において粉末消火器などの取扱い訓練において、事前に取扱い訓練指導者の説明を受けているにもかかわらず、訓練参加者自らが実際に取扱い訓練をする時には操作の順番を間違える場面がしばしばある。ある程度落ち着いている訓練時でさえ間違える事を考えると、気が動転している実際の火災時の取扱いにおいては、正確に操作ができるかどうか疑問である。よって緊急時に備え常日頃から操作方法を確認する必要も無く、また気が動転している実際の火災時においても消火活動が迅速確実に行え、並びに訓練指導者側も事業所や町内会での消火器取扱いの説明が行い易くなる操作順序早解かり消火器を提供する。【解決手段】  消火器の各操作個所の一部分に、消火器の取扱い操作方法の順番を示す番号を設けたことを特徴とする。【選択図】図１
2007215965.tif 000002
【特許請求の範囲】
【請求項１】
消火器の各操作個所の一部分に、消火器の取扱い操作方法の順番を示す番号を設けたことを特徴とする操作順序早解かり消火器。
【発明の詳細な説明】
【技術分野】
【０００１】  本発明は、消火器の各操作個所の一部分に番号を明記した円状の凸部等を設け、緊急時においても操作の順番を間違いなくできるようにした、操作順序早解かり消火器に関するものである。
【背景技術】
【０００２】  従来、事業所又は町内会等において粉末消火器などの取扱い訓練を見ていると、事前に取扱い訓練指導者の説明を受けているにもかかわらず、訓練参加者自らが実際に取扱い訓練をする時には操作の順番を間違える場面がしばしばあることから、ある程度落ち着いている訓練時でさえ間違える事を考えると、気が動転している実際の火災時の取扱いにおいては、正確に操作ができるかどうか疑問である。
【発明の開示】
【発明が解決しようとする課題】
【０００３】  今までの消火器の取扱い操作方法の表示には、次のような問題点があった。
取扱い操作方法の表示は消火器の胴体部側面に図柄等で表示されているが、取り扱う時には斜め上から見るか若しくは事前に操作方法を見て覚えるかであるが、斜め上からでは見難く又覚えるには時間が必要であった。
実際の火災時の取扱いにおいては、迅速正確な操作が必要である事を考えると、消火器の取扱い操作順序の表示を改善する必要があった。
本発明は、以上のような欠点を解決するためになされたものである。
【課題を解決するための手段】
【０００４】  消火器本体（１）の胴体部（２）側面の図柄表示の他に、消火剤放射用レバー（３）上部に差し込まれている安全栓（４）の前方縦側中央やや下に▲１▼の番号（蛍光）が付いた円形板（５）を地面等に対して水平に設けるとともに、消火用ホース（６）の先端部の前部（７）にも▲２▼の番号（蛍光）が付いた円形板（８）を消火用ホースに対して直角、地面等に対して水平に設ける。
消火剤放射用レバー（３）については、上段レバー（９）の握り部分（１０）を下段レバー（１１）より若干幅広くし、上段レバー（９）の握り部分（１０）の後部の先端上部（１２）に▲３▼の番号（蛍光）が付いた円形状のシール等（１３）を設ける。
以上を特徴とした操作順序早解かり消火器である。
【発明の効果】
【０００５】  操作方法の順番を示す番号が分かり易い個所に明記されている事により、緊急時に対応するため常日頃から操作方法を確認する必要も無く、また気が動転している実際の火災時においても消火活動が迅速確実にできるようになる。
また訓練指導者側も事業所や町内会での消火器取扱いの説明が行い易くなる。
【発明を実施するための最良の形態】
【０００６】  以下、本発明を実施するための最良の形態について説明する。
（イ）消火剤放射用レバー（３）上部に差し込まれている安仝栓（４）の前方縦側中央やや下に▲１▼の番号（蛍光）が付いた円形板（５）を地面等に対して水平に設ける。
（ロ）消火用ホース（６）の先端部の前部（７）にも▲２▼の番号（蛍光）が付いた円形板（８）を消火用ホースに対して直角又は地面等に対して水平に設ける。
（ハ）消火剤放射用レバー（３）については、上段レバー（９）の握り部分（１０）を下段レバー（１１）より若干幅広くし、上段レバー（９）の握り部分（１０）の後部先端上部（１２）に▲３▼の番号（蛍光）が付いた円形状のシール等（１３）を設ける。
（ニ）各円形板の直径は２．５センチ程度、厚みは５ミリ前後で色は黄色とし、番号の蛍光色は夜間にも良く目立つ赤色とする。
（ホ）▲３▼の番号（蛍光）が付いた円形状のシール等（１３）の地は黄色で数字は赤色とする。
（ヘ）番号の大きさは概ね２センチ程度とする。
本発明は、以上の構成よりなる操作順序早解かり消火器である。
【図面の簡単な説明】
【０００７】
【図１】  本発明の斜め上から見た斜視図である。
【図２】  本発明の横から見た側面図である。
【図３】  本発明の平面図である。
【符号の説明】
【０００８】    １  消火器本体
２  胴体部
３  消火剤放射レバー
４  安全栓
５  ▲１▼の番号（蛍光）が付いた円形板
６  消火用ホース
７  先端部の前部
８  ▲２▼の番号（蛍光）が付いた円形板
９  上段レバー
１０  握り部分
１１  下段レバー
１２  後部の先端上部
１３  ▲３▼の番号（蛍光）が付いた円形状のシール等
【図１】
2007215965.tif 000003
【図２】
2007215965.tif 000004
【図３】
2007215965.tif 000005
(57)【要約】【目的】電力制御及びＯＦＦ状態維持動作が簡単で安価にできる回路の提案。【構成】トリガー素子を用いたサイリスタの制御回路にサーミスタを用いた簡単な位相制御回路、及びサーミスタの特性を用いたＯＦＦ状態保持回路。【選択図】図１
2007215387.tif 000002
【特許請求の範囲】
【請求項１】
サイリスタをＳＢＳ，ＤＩＡＣ等のトリガー素子を用いて制御する回路において、トリガー用の昇圧コンデンサーと並列にサーミスタを接続する回路。
【請求項２】
請求項１において、サーミスタによる温度測定点の温度上昇により位相制御で電力制御する回路。
【請求項３】
請求項１において、温度上昇でサイリスタがＯＦＦした後サーミスタの自己発熱によりＯＦＦ状態を保持する回路。
【発明の詳細な説明】
【発明の詳細な分野】
【技術分野】
【０００１】本発明は、温度をサーミスタで検出し、サイリスタにより電力を制御したり、ＯＦＦ状態を保持することの出来る回路に関するものである。
【背景技術】
【０００２】  温度をサーミスタで検出し電力を制御するにはサーミスタ以外に制御回路が必要であり、ＯＦＦを維持させるためにも回路が必要であった。
【発明が解決しようとする課題】
【０００３】  温度センサーとして安価なサーミスタを用い、トリガー素子を用いてサイリスタを制御する簡単な回路で電力を制御する回路と別回路を付加することなくＯＦＦ状態を保持できる回路を提案するものである。
【課題を解決する手段】
【０００４】  本発明はトリガー素子をＯＮさせるための昇圧用のコンデンサーに並列にサーミスタを接続し、サーミスタの抵抗値の変化によりコンデンサーへの充電量が変わり位相制御角が変わり電力制御が出来る。また、サーミスタへ流れる電流の制御とサーミスタの選定により、サーミスタの自己発熱を利用し、サーミスタが低抵抗値を維持出来るようにしてサイリスタのＯＦＦ状態を保持する。
【実施例】
【０００５】実施例１
本発明の基本実施例を図１に示す。
図１の回路において、抵抗Ｒ１を通して昇圧用コンデンサーＣ１が充電され、ＤＩＡＣのスイッチング電圧になるとＤＩＡＣがＯＮしてサイリスタがＯＮする。Ｃ１に並列に接続したサーミスタは２５℃で１０ｋΩで９０℃で約１．５ｋΩになる特性のものを用いた。温度が上昇してサーミスタの抵抗値が低くなるとサーミスタの方へ電流が流れＣ１の時定数が長くなり、位相制御ができる。サーミスタの抵抗値変化で直接的にＣ１の時定数を制御することを特徴とするものである。
【実施例】
【０００６】実施例２
図１の回路において、Ｒ１とＣ１及びサーミスタの特性の選定により一定温度に達してサイリスタがＯＦＦした後サーミスタを流れる電流により、サーミスタ自身の自己発熱で、電源を切らない限り、サイリスタをＯＦＦの状態で維持することができる。
【図面の簡単な説明】
【０００７】  図１．  （ａ）  本発明の基本回路
（ｂ）  応用回路例
回路図の記号
▲１▼．サイリスタ
▲２▼．トリガー素子のＤＩＡＣ
▲３▼．昇圧用コンデンサーＣ１
▲４▼．抵抗Ｒ１
▲５▼．▲７▼．抵抗
▲６▼．サーミスタ
【図１】
2007215387.tif 000003
(57)【要約】【課題】  小麦粉パンの１／１０以下の蛋白含有量とした極低蛋白パンを提供する。【解決手段】パン生地として、澱粉（小麦澱粉の他、馬鈴薯澱粉や米澱粉等の適宜な澱粉）を主成分とした粉生地に、少なくとも粉生地量に対して膜形成材として１．５％重量以上の増粘多糖類と、硬化抑制材として、適宜量のα化澱粉（粳米α粉他）と、βアミラーゼを添加してなる生地を使用して、常法通り製パンする。【選択図】図１
2007215464.tif 000002
【特許請求の範囲】
【請求項１】
パン生地として、澱粉を主成分とした粉生地に、少なくとも粉生地量に対して膜形成材として１．５％重量以上の増粘多糖類と、硬化抑制材としての適宜量のα化澱粉及びβアミラーゼを添加した生地で、常法通りの製パンを行ってなることを特徴とする極低蛋白パンの製造方法。
【請求項２】
パン生地として、澱粉を主成分とした粉生地に、少なくとも粉生地量に対して膜形成材として１．５％重量以上の増粘多糖類と、硬化抑制材としての適宜量のα化澱粉及びβアミラーゼを添加した生地で製パンしたことを特徴とする極低蛋白パン。
【発明の詳細な説明】
【技術分野】
【０００１】
本発明は、極低蛋白パン及びその製造方法に関するものである。
【背景技術】
【０００２】
腎臓病患者用の食品として低蛋白食品が提供されており、その製造手段として従前より種々提案されている。
【０００３】
例えばパン用小麦粉に澱粉（小麦粉澱粉、馬鈴薯澱粉）を配合して、その含有蛋白量を６．５〜７．５％とした低蛋白パン用穀粉組成物を主原料とし、常法手段で製パンしたり（特許文献１）また、低蛋白小麦粉を５５〜８０重量％の割合でパン用小麦粉に配合し、小麦粉組成物１００重量部に対し３〜３０重量部の糖質、５〜３０重量部の油脂を配合し、０．４〜１．２重量部の食塩を配合することを特徴とする低塩低蛋白パンの製造方法が提案されている（特許文献２）。
【０００４】
またパンの主原料である小麦粉の５０％以上を澱粉に置換し、増粘多糖類と食物繊維とを併用添加することにより、発酵及び焼成中に発生するガスを生地中に保持させて、ソフトな食感を有する製パン手段が提案されており（特許文献３）、更に小麦粉２５〜５０質量部、α化澱粉を除く澱粉４５〜７０質量部及びα化澱粉５〜１５質量部を含むことで低蛋白パンを製造する手段が提案されている（特許文献４）。また小麦澱粉を混合するに際して、大粒澱粉を採用することも提案されている（特許文献５）。
【０００５】
更に米粉を用いてパンを製造する手段も知られている（特許文献６）。しかし前記のパン生地は、気泡が内在しふっくらとしたパンにするために活性グルテンを添加しており、低蛋白パンとはならない。
【０００６】
前記の低蛋白パンは、パン生地となる小麦粉の一部を、小麦澱粉や馬鈴薯澱粉に置き換えることを基本手段としている。しかし澱粉の添加はパンのうま味を損ない、砂糖や油脂などの調整食材を添加しても、充分な改善はなされない。そこで本発明者は、澱粉を使用したパンより、米粉を使用したパンの方がパンのうま味を醸し出すことに着目し、小麦粉に替えて低蛋白米パウダーを使用する低蛋白パンの製造方法を提案した（特許文献７）。
【０００７】
【特許文献１】特開平５−７４４８号公報。
【特許文献２】特開平９−１６８３６２号公報。
【特許文献３】特開平１１−１５５４６７号公報。
【特許文献４】特開２００１−２２４３００号公報。
【特許文献５】特開２００２−１６９号公報。
【特許文献６】特開平１１−１３２７０６号公報。
【特許文献７】特開２００４−２９０１６０号公報。
【発明の開示】
【発明が解決しようとする課題】
【０００８】
前記の低蛋白米粉を使用する低蛋白パンは確かに食味の良いパンを提供できるか、小麦粉の一部を低蛋白米粉に置き替えるので、通常の小麦粉パンに比較して蛋白量を１／３以下とした場合には、グルテンによる網状構造の形成（発酵ガスを包む膜の形成）が困難で、パンの風味を得ることができない。
【０００９】
そこで本発明は、所定量の増粘多糖類を使用することで、グルテンに代わる生地の膜形成が可能であり、硬化抑制材を加えることでパンの硬化を抑制してパン風味を維持することを見出し、小麦粉を全く使用しない極低蛋白パンの製造手段を提案したものである。
【課題を解決するための手段】
【００１０】
本発明に係る極低蛋白パンの製造方法は、パン生地として、澱粉を主成分とした粉生地に、少なくとも粉生地量に対して膜形成材として１．５％重量以上の増粘多糖類と、硬化抑制材としての適宜量のα化澱粉及びβアミラーゼを添加した生地で、常法通りの製パンを行ってなることを特徴とするものである。
【００１１】
従って蛋白を殆ど含有していない澱粉を生地の主成分とし、増粘多糖類によって膜形成を行って発酵ガスを内在させ、同時に製出されるパンの硬化を抑制して、パン風味（パン食感）を備えた低蛋白パンを提供できる。
【発明の効果】
【００１２】
以上のとおり本発明は、パン生地として、澱粉を主成分とした粉生地に、少なくとも粉生地量に対して膜形成材として１．５％重量以上の増粘多糖類と、硬化抑制材としての適宜量のα化澱粉及びβアミラーゼを添加した生地で製パンしたもので、蛋白量を小麦粉パンの１／１０以下まで低減させ、且つ食味の良いパンを提供することができたものである。
【発明を実施するための最良の形態】
【００１３】
次に本発明の実施の形態について説明する。生地主成分は蛋白質を殆ど含有しない小麦粉澱粉（小麦澱粉の他、馬鈴薯澱粉や米澱粉等の適宜な澱粉を使用することもできる）に、図１に示した比率でα化澱粉（粳米α粉やその他のアルファ化澱粉）を加え、更に図１で示した添加物を、粉状生地１００に対する所定重量比率で添加混合して生地とするものである。
【００１４】
増粘多糖類は、発酵ガスを内在させる膜生成物であり、α化澱粉並びにβアミラーゼは、パンの硬化抑制のために添加し、また必要とする加水量が多いため、油脂の分離を抑え、パンのボリュームを良くし、焼成後にも優れたパン組織を維持するために、親水性の高い乳化剤を添加する。
【００１５】
そして全材料をミキシング（ビータＭ１０分）して捏ね上げ（捏上温度２７℃）、１５分間程度発酵させる（２８℃、湿度７５％の雰囲気下で行う）。
【００１６】
発酵後にガス抜き（ミキシング２分）を行い、所定の大きさに分割型詰め（比容積２．３）し、ホイロ工程（３８℃、湿度８０％雰囲気下で５０分放置）後、焼成（上２２０℃、下２２０〜２４０℃、４０分）する。
【００１７】
製出されたパンは、焼き色が良く外観は通常のパンと変わらず、しっとり感がある独特の風味を有する美味なパンにできあがった。
【００１８】
前記の製出されたパンの蛋白含有量は、０．５％であった。五訂食品成分表に記載されている市販食パンの蛋白含有量９．３％に比較して１／１０以下となり、しかも小麦粉を全く使用しないものであるから、小麦アレルギーの患者にも対応できるパンを提供できたものである。
【図面の簡単な説明】
【００１９】
【図１】本発明の実施形態の使用材料表。
【図１】
2007215464.tif 000003
(57)【要約】【課題】髪飾りを使う時、艶があり、型崩れしにくく、汚れても水洗いすることができる蝋加工の髪飾りを提供する。【解決手段】紙や布等で目的の造形物の型を切り抜き、立体的になるよう重ね合わせたり貼り合わせたりして仕上げる。この時、針金を一部に付加しておき、後で蝋に浸透させる為の持ち手を確保しておく。溶かした蝋の中に出来上がった造形物を浸透させて、全体に蝋の皮膜を作る。出来上がった蝋加工製品に髪飾り用のコーム（くし）やピン等で髪に取り付ける。【特許請求の範囲】
【請求項１】
紙や布等で作った花等の造形物に蝋を浸透させて被膜を作り、艶と丈夫で形態の安定性を高めた蝋加工の髪飾り
【発明の詳細な説明】
【技術分野】
【０００１】
この発明は、紙や布等で作った花等の造形物に蝋を浸透させた蝋加工の髪飾りに関するものである
【背景技術】
【０００２】
従来、蝋加工製品は一般に重量感があるので頭に付ける髪飾りとしては不向きであ
り、髪飾りに使われる花等の造形物には紙や布製等が多く使われ、蝋加工製品は無か
った。
【発明の開示】
【発明が解決しようとする課題】
【０００３】
従来の髪飾りに使われている花等の造形物は紙や布等で作られたものが多い、これは次のような問題点があった。
時間の経過と共に、形が崩れやすかった。
汚れた場合、水洗いすることが難しく、又、水洗いしても元の形に戻すことが難しかった。
雨の日などは特に湿気を含み、又濡れるとすぐに崩れてしまうので、雨の日には適さなかった。
強い風が吹く時、特に大輪の花等は風に吹かれて形態が崩れやすかった。
紙や布製なので艶が無かった。
本発明は、以上のような問題点を解決するためになされたものである。
【課題を解決するための手段】
【０００４】
紙や布等で花等の形を作り、溶かした蝋に浸透させることで全体に蝋の被膜を作る。
この時、蝋の融点を高くすることで造形物に出来る蝋の皮膜を薄くすることが出来、
軽量化することが可能になる。
以上を特徴とする蝋加工の髪飾りである。
【発明の効果】
【０００５】
従来、蝋加工製品は一般に重量感があるので頭に付ける髪飾りとしては不向きであ
り、髪飾りに使われる花等の造形物には紙や布製が多く使われ、蝋加工製品は無かっ
たが、蝋の融点を高くすることで造形物に出来る蝋の皮膜を薄くすることが出来、軽量化することが可能になる。
花等の造形物に蝋の被膜を作ることによって美しい形を安定させることが可能になる。
蝋の被膜によって髪や布には無い美しい艶が出せるので、紙、布製等との差別化を図ることができる。
蝋の皮膜によって生まれる透明感と艶が、髪飾りの表現の幅を広げ、和装から洋装まで新しい価値を提供することが可能になる。
蝋の被膜によって耐水性が生まれるので雨の日にも使用でき、又、汚れたときには水洗いもできる。
【発明を実施するための最良の形態】
【０００６】
以下、本発明を実施するための最良の形態について説明する。
造花の髪飾りを例にあげる。
（イ）  あらかじめ、比較的軽量のクレープ紙や和紙、薄絹などの布等を用意し、必要があれば染色しておく。
（ロ）  乾いた染色紙や布等から花の造形に合わせて花弁等の形を切り抜く。
（ハ）  鍋など適当な容器に蝋を入れ、熱で溶かす。
（ニ）  針金等を付けて出来上がった花を溶かした蝋に浸した後、すぐに取り出し自然乾燥させる。
（ホ）  蝋を浸透させた花に髪飾りに必要なコーム（くし）やピン等の固定用具を取り付けて仕上げる。
上記の実施例、造花に限定する事なく、蝶などの昆虫類の造形、犬や猫などの動物等の造形など、要旨を逸脱しない範囲で種々変更して実施出来る事は勿論である。
また、紙や布等の他にも皮やプラスチック類などで実施出来る事は勿論である。
本発明は以上の構成でなっている。
(57)【要約】【課題】接続端子のハウジングの端子収容孔への挿入時に挿入誤りがなくなるようにする。【解決手段】コネクタハウジング１１の上面には、それぞれ後部の端子収容孔１３の配置パターンと同じ図形１６が印刷されている。この図形１６内には端子番号が記入されており、接続端子２１側には例えば電線２２に端子番号を記入しておき、電線２２の端子番号と図形１６に記入した端子番号とが一致するように、接続端子２１を端子収容孔１３の入口部に挿入する。【選択図】図２
2007026855.tif 000002
【特許請求の範囲】
【請求項１】
電線付きの複数の接続端子を後方の端子収容孔の入口から挿入して収容するコネクタハウジングにおいて、ハウジングの表面に前記端子収容孔の入口の配置パターンの図形を描き、該図形の該当端子収容孔部分に、挿入すべき接続端子を示す記号又は模様又は色彩或いはこれらの組合わせを表示したことを特徴とするコネクタハウジング。
【請求項２】
前記図形の該当端子収容孔部分の表示と同じ表示を前記接続端子又は前記接続端子に付設した電線に表記したことを特徴とする請求項１に記載のコネクタハウジング。
【請求項３】
前記図形は前記ハウジングの上面に表示した請求項１に記載のコネクタハウジング。
【請求項４】
前記図形の表示は蛍光塗料により行うようにしたことを特徴とする請求項１に記載のコネクタハウジング。
【発明の詳細な説明】
【技術分野】
【０００１】
本発明は、接続端子を内蔵するコネクタハウジングに関するものである。
【背景技術】
【０００２】
コネクタハウジングは相手側コネクタハウジングと嵌合して、内部に収容した接続端子同士を電気的に接続する機能を有している。接続端子をコネクタハウジングに収容するには、電線を接続した接続端子をコネクタハウジングの後方から１個ずつ所定の端子収容孔に挿入する。
【発明の開示】
【発明が解決しようとする課題】
【０００３】
しかし、この接続端子の挿入は、接続端子の数が多くなると、端子収容孔の挿入個所を間違える虞れが多分にある。この挿入誤りが生ずると、接続した電気機器が正常に作動しなくなり、甚しい場合には電気機器の故障を惹き起こすこともある。従って、出荷時に検査を行うことになるが、検査において挿入ミスが発見されると、分解して再組立をしなければならない。
【０００４】
このために、図３に示すようにハウジング１の端子収容孔２の周囲に設けた周壁３の内側に記号４を画き、この記号４を接続端子に付設したケーブルの記号と照合しながら接続端子を端子収容孔２に挿入することがある。
【０００５】
しかしコネクタハウジングによっては、端子収容孔２の周囲に周壁３を設けないこともあり、設けた場合においても、接続端子を挿入するにつれ、接続端子に付設した電線によって記号４が見えなくなってしまう。
【０００６】
本発明の目的は、上述の課題を解決し、接続端子のハウジングの端子収容孔への挿入時に挿入誤りを解消するコネクタハウジングを提供することにある。
【課題を解決するための手段】
【０００７】
上述の目的を達成するための本発明に係るコネクタハウジングの技術的特徴は、電線付きの複数の接続端子を後方の端子収容孔の入口から挿入して収容するコネクタハウジングにおいて、ハウジングの表面に前記端子収容孔の入口の配置パターンの図形を描き、該図形の該当端子収容孔部分に、挿入すべき接続端子を示す記号又は模様又は色彩或いはこれらの組合わせを表示したことにある。
【発明の効果】
【０００８】
本発明に係るコネクタハウジングによれば、ハウジングの表面に挿入すべき接続端子を示す表示を行い、この表示通りに接続端子を挿入することにより、挿入誤りが発生することがなくなる。
【発明を実施するための最良の形態】
【０００９】
本発明を図示の実施例に基づいて詳細に説明する。
図１はコネクタハウジング１１、１２の斜視図を示し、コネクタハウジング１１、１２同士を嵌合し、それぞれに収容した接続端子同士を電気的に接続する。コネクタハウジング１１、１２の後面（ただしコネクタハウジング１２の後面は図示せず）には、電線付きの接続端子を収容するための端子収容孔１３の入口部が設けられている。
【００１０】
コネクタハウジング１２の側面には回動レバー１４が設けられ、コネクタハウジング１１の両側面に設けたピン１５と係合して、回動レバー１４の回動によるてこ作用により、コネクタハウジング１１、１２同士を嵌合、解離するようになっている。
【００１１】
コネクタハウジング１１、１２の上面には、それぞれ後部の端子収容孔１３の配置パターンと同じ図形１６が印刷されている。この図形１６内には端子番号が記入されており、接続端子側には例えば電線に端子番号を記入しておき、電線の端子番号と図形１６に記入した端子番号とが一致するように、接続端子を端子収容孔１３の入口部に挿入する。
【００１２】
図２に示すように、接続端子２１の挿入に際しては、例えば左手でコネクタハウジング１１を持ち、コネクタハウジング１１上の図形１６の端子番号を見ながら右手で１個ずつ接続端子２１を持ち、接続端子２１に接続した電線２２に付した端子番号と照合しながら、接続端子２１を図形１６で指示されている個所の端子収容孔１３に挿入をすればよい。
【００１３】
なお、コネクタハウジング１１、１２の図形１６の表示位置は、コネクタハウジング１１、１２の後部に設けた端子収容孔１３の入口部と、図形１６の内容が作業者によって共に視認できるようにすることが、作業性が良く発明の目的とも合致するので、図示のようにコネクタハウジング１１、１２の上面として、端子番号を後面向きに示すようにすることが好適である。
【００１４】
なお、図形１６には電線２２の色や模様を記入し、図形１６に記入した電線２２の色や模様を合わせて、接続端子２１を挿入するようにしてもよく、或いは記号や色や模様の組合わせにより照合してもよい。なお、夜間での作業などを考慮すると、図形１６、電線２２の記号は蛍光塗料を使用することも考えられる。
【００１５】
また、実施例のコネクタハウジング１１、１２では、回動レバー１４によりコネクタハウジング１１、１２同士の嵌合、解離を操作するようにしたが、本発明はこの型式のコネクタハウジングに限られるものではない。
【図面の簡単な説明】
【００１６】
【図１】コネクタハウジングの斜視図である。
【図２】コネクタハウジングに接続端子を挿入する状態の斜視図である。
【図３】従来例のコネクタハウジングの斜視図である。
【符号の説明】
【００１７】
１１、１２  コネクタハウジング
１３  端子収容孔
１４  回動レバー
１５  ピン
１６  図形
２１  接続端子
２２  電線
【図１】
2007026855.tif 000003
【図２】
2007026855.tif 000004
【図３】
2007026855.tif 000005
(57)【要約】      （修正有）【課題】宿泊相談者が相談内容を選択方式や数値入力で入力することで、宿泊提案や過去事例をＷＥＢシステムで閲覧でき、インターネットメールにて配信を受ける事ができ、また、小規模宿泊施設で多人数の宿泊を分散して受け入れたり、その宿泊提案を提供する側の作業負担を軽減する業務を自動的に行うプログラムを提供する。【解決手段】事前に複数の宿泊施設の宿泊客受入れ情報を入力し記憶する手段、インターネットを利用して相談内容を受け付ける手段、これら受付データを記録しておくデータ記録手段、相談内容を解析し宿泊提案を計算する手段、宿泊提案を記録データから読み出す手段、宿泊提案に類似した過去事例を記録データから読み出す手段、それら宿泊提案を表示する手段、それら宿泊提案をインターネットメールにて自動配信する手段、事後に宿泊実績や宿泊者の感想をＷＥＢシステムへ入力し過去事例データとして記憶する手段を提供する。【選択図】図１
2007026152.tif 000002
【特許請求の範囲】
【請求項１】
パソコンや携帯電話等を利用してインターネットから相談者が学習用合宿や修学旅行などの多人数宿泊相談の宿泊希望条件を入力することにより、複数の小規模宿泊施設で分担受け入れ対応した宿泊提案情報を相談者へ自動配信するシステム。
【請求項２】
パソコンや携帯電話等を利用してインターネットから相談者が学習用合宿や修学旅行などの多人数宿泊相談の宿泊希望条件を入力することにより、複数の小規模宿泊施設で分担受け入れ対応した過去サービスの実例をＷＥＢシステムで閲覧可能にするシステム。
【発明の詳細な説明】
【技術分野】
【０００１】
本願発明は学習用合宿や修学旅行などの多人数宿泊相談を複数の小規模宿泊施設にて分担受け入れ対応する業務を自動的に行い、受入れ宿泊施設側の作業負担を軽減するために好適なシステムに関するものである。
【背景技術】
【０００２】
学習用合宿や修学旅行等に関する宿泊相談の対応作業はその宿泊人数が多いため、小規模宿泊施設では受付できなかったり、小規模宿泊施設合同で受け付けてもその宿泊客の割り振りに時間や人手がかかるため、相談者へスムーズにサービスを提供できないという問題があった。
【０００３】
また、相談者側では小規模宿泊施設を利用したサービスがどのようなものであるかが把握できないため、その宿泊プランの提案に魅力を感じない事がある場合があった。
【発明の開示】
【発明が解決しようとする課題】
【０００４】
従って、本願発明が解決しようとする課題は多人数の宿泊予約や宿泊先割り振り業務を自動処理することで小規模宿泊設備での受付における作業負担を軽減し、また、宿泊相談者がそのサービス内容実例を閲覧できることにより具体的で説得力のある宿泊提案を受け取ることが出来るプログラムを提供することにある。
【課題を解決するための手段】
【０００５】
本願発明はコンピュータの記憶装置にインストールされたＷＥＢシステムにより、複数の宿泊施設の宿泊客受入れ情報を入力し記憶する手段、インターネットを利用して宿泊相談内容を受け付ける手段、これら受付データを記録しておくデータ記録手段、相談内容を解析し宿泊提案を計算する手段、宿泊提案を記録データから読み出す手段、宿泊提案に類似した過去事例を記録データから読み出す手段、それら宿泊提案を表示する手段、それら宿泊提案をインターネットメールにて自動配信する手段、事後に宿泊実績や宿泊者の感想をＷＥＢシステムへ入力し過去事例データとして記憶する手段を提供されるようにしてなるものである。
【発明の効果】
【０００６】
本願発明は、宿泊相談受付から宿泊提案の配信までが自動処理されるので情報配信者は宿泊プランの作成処理の経費を軽減でき、小規模宿泊施設にて多人数の宿泊客を受け入れることが出来る。
【０００７】
また、宿泊相談者へは過去の類似事例も含めた情報を提供出来ることもあるので、宿泊相談者は提案内容をよく検討することができる。
【発明を実施するための最良の形態】
【０００８】
第１図は、本願発明のＷＥＢシステムの概略構成図であり、第２図はプログラムにより実行される処理のフローである。
【０００９】
まず、宿泊相談者１がパソコンや携帯電話を利用してインターネットから多人数の宿泊に関する相談内容を選択方式や数値入力で入力すると、インターネット接続によりその入力データがＷＥＢシステム２へ記録される。
【００１０】
記録されたデータは既に記憶されている宿泊施設の宿泊客受入れ情報データをもとに計算され、宿泊客の施設割り振りの判断を行い、その条件に類似した過去事例などの情報コメントを作成し、宿泊提案と共に準備される。
【００１１】
記録された数値データや条件データから公開可能な過去の類似事例を検索し、宿泊相談者へ提供する準備を行う。
【００１２】
ＷＥＢシステムに接続されている相談者のパソコンや携帯電話等の画面へ、準備された宿泊提案を表示し、宿泊相談者の希望によってはインターネットメールを配信する。
【００１３】
事後に宿泊実績や宿泊者の感想をＷＥＢシステムへ入力し過去事例データとして記憶する。
【実施例】
【００１４】
本願発明はコンピュータの記憶装置にインストールされたＷＥＢシステムにより、事前に複数の宿泊施設の宿泊客受入れ情報を入力し記憶する手段、インターネットを利用して宿泊相談内容を受け付ける手段、これら受付データを記録しておくデータ記録手段、相談内容を解析し宿泊提案を計算する手段、宿泊提案を記録データから読み出す手段、宿泊提案に類似した過去事例を記録データから読み出す手段、それら宿泊提案を表示する手段、それら宿泊提案をインターネットメールにて自動配信する手段、事後に宿泊実績や宿泊者の感想をＷＥＢシステムへ入力し過去事例データとして記憶する手段を提供するシステムで構成される。
【００１５】
事前に複数の宿泊施設の宿泊客受入れ情報を入力し記憶する。
【００１６】
宿泊相談者がパソコンや携帯電話を利用してインターネットから宿泊人数や条件を選択方式や数値入力で入力すると、インターネット接続によりその入力データがＷＥＢシステムへ記録される。
【００１７】
記録されたデータは既に記憶されている宿泊施設の宿泊客受入れ情報データをもとに計算され、宿泊客の施設割り振りの判断を行い、その条件に類似した過去事例などの情報コメントを作成し、宿泊提案と共に準備される。
【００１８】
記録された数値データや条件データから公開可能な過去の類似事例を検索し、宿泊相談者へ提供する準備を行う。
【００１９】
ＷＥＢシステムに接続されている相談者のパソコンや携帯電話等の画面へ、準備された宿泊提案を表示し、宿泊相談者の希望によってはインターネットメールを配信する。
【００２０】
事後に宿泊実績や宿泊者の感想をＷＥＢシステムへ入力し過去事例データとして記憶する。
【図面の簡単な説明】
【００２１】
【図１】本願発明の債務相談に関する自動応答システムのシステム構成図
【図２】本願発明の債務相談に関する自動応答システムにより実行される処理のフロー
【図１】
2007026152.tif 000003
【図２】
2007026152.tif 000004
(57)【要約】      （修正有）【課題】在宅者がドアを開ける事無く、来訪者が誰か確実に確認できるようにする事。【解決手段】  訪問者は予め訪問先に、訪問者１が発する電波信号を受けて受信動作する受信装置３を、訪問先の室内側（例えばドア５の内側や玄関内の壁）に設置しておき、後日訪問時に訪問先のドア５の前で電波信号発生装置２を作動させる事により、玄関内に有る受信装置３を動作させ、訪問者が予め受信装置３を設置した者に間違いない事を分かる様にする。【選択図】図１
2007026413.tif 000002
【特許請求の範囲】
【請求項１】
訪問先には予め「訪問者１が発する識別符号を含む電波信号発生装置２による電波により受信動作を開始し、訪問者の電波信号の識別符号と受信装置３の持つ符号が一致した時訪問者が誰か表示する受信装置３」を室内に設置しておき、後日訪問者１は電波信号発生装置２を訪問先室外で動作させる事により室内側に有る受信装置３を動作させ、在宅者４がドア５で訪問者１を目視確認出来ない状態であっても、訪問者１が誰か確認できる訪問者確認装置。
【発明の詳細な説明】
【発明の詳細な説明】
【技術分野】
【０００１】  本発明は、在宅者がドアを開ける事無く訪問者が誰か分かる装置である。
予め訪問先に、訪問者が発する識別符号を含む電波信号を受けてその識別符号と一致した場合に動作する受信装置を、玄関の室内側（例えばドアの内側や壁）に設置しておき、後日訪問時に訪問先のドアの前で電波信号発生装置を作動させる事により、訪問者が予め受信装置を設置した者に間違いない事を分かる様にする装置である。
【背景技術】
【０００２】  従来は、宅配業者が訪問してきた時の確認はドアに有る訪問者確認用の覗き穴で覗き、荷物を持って宅配業者らしい格好をしておればドアを開け荷物を受け取る事になる。もし確認用の覗き穴が無ければドアを開けて確認する事になる。
しかし近年、強盗が宅配業者を装ってドアを開けさせ家人を縛り上げて金品を奪うと言う事件が多発している。
これは、小さな確認用覗き穴では本当の宅配業者なのか宅配業者を装った強盗なのか見分けが付けにくく、又訪問者が荷物らしき物を持っていれば、荷物が来た何だろうとそちらの方に注意が行き、訪問者を疑う事を忘れてしまいついドアを開けてしまう等、本人を直接見なければ確認が出来ない事が原因で有る。
【発明実施の形態】
【０００３】  本発明は、訪ねて来た来訪者が本物か偽者かドアを開けて見なくても分かる様にする事で、例えば宅配業者が、予め自分の顧客となる家庭に、自分が持つ「電波信号発生装置からの電波を受信してその信号を電源として動作を開始し、電波信号発生装置より発せられる電波の中の自分を示す識別符号と受信装置の中の識別符号が一致した時ランプを点灯する受信装置」を家庭の玄関ドアなどに貼り付けて置く。
後日荷物などを届ける為家庭を訪問する時、自分と分かる識別符号をのせた電波信号発生装置を持って訪問し、ドアの前で動作させながら呼び鈴を押す。
訪問された家庭では、呼び鈴に応じて玄関に出向いた時、ドアに取り付けられた装置のランプ点灯で来訪者が宅配業者に間違いない事を確認できる。
【発明の効果】
【０００４】  本発明は、訪ねて来た来訪者が本物か偽者かドアを開けて見なくても分かる為、近年特に多い宅配業者を装った強盗の侵入などを事前に防ぎ、防犯に多大な効果が期待出来る。
【図面の簡単な説明】
【図１】  宅配業者が荷物を持って配達先を訪れ、装置を動作させた時の情景図で有る。
【符号の説明】
１  訪問者
２  電波信号発生装置
３  受信装置
４  在宅者
５  ドア
【図１】
2007026413.tif 000003
(57)【要約】【課題】  現在、インターネットオンラインマーケティングには画像・音・文字情報が使用されているが、香りがなかった。そのため、顧客へ与える商品の現実感、臨場感に限界があった。【解決手段】データ発信者（売主）はデジタル化された香り情報を画像・音・文字情報とともにインターネットを経由して、データ受信者（顧客）に伝達する。データ受信者（顧客）はコンピュータに香り発生器を接続し、香りを発生させる。コンピュータ（パソコン）画面上の画像・文字・音（スピーカー）に、香りが加わることにより、商品のより大きな現実感、臨場感を得ることができ、顧客の満足度が向上する。【特許請求の範囲】
【請求項１】
画像（静止・動）・音（音声を含む）・文字情報のほかに、香りの情報を加えて、インターネットを通じて顧客に開示しておこなうオンライン通販サービス。
【請求項２】
画像（静止・動）・音（音声を含む）・文字情報のほかに、香りの情報を加えて、インターネットを通じて顧客に開示しておこなうオンラインオークションサービス。
【請求項３】
画像（静止・動）・音（音声を含む）・文字情報のほかに、香りの情報を加えて、インターネットを通じて顧客に開示しておこなうオンライン予約サービス。
【請求項４】
画像（静止・動）・音（音声を含む）・文字情報のほかに、香りの情報を加えて、インターネットを通じて顧客に開示しておこなうオンライン人物紹介サービス。
【発明の詳細な説明】
【技術分野】
【０００１】本発明は、現在、画像・音・文字情報などをインターネットを通じて顧客に開示しておこなわれているオンライン通販サービス・オンラインオークションサービス・オンライン予約サービス・オンライン人物紹介サービス（以下インターネットオンラインマーケティング）に、香りのデジタル化の実用化にともない、香りをくわえるというものである。
【背景技術】
【０００２】インターネット・ＲＤＢ・ＷＥＢ・香りのデジタル化
【発明の開示】
【発明が解決しようとする課題】
【０００３】現在、インターネットオンラインマーケティングには画像・音・文字情報が使用されているが、香りがなかった。
【課題を解決するための手段】
【０００４】データ発信者（売主）はデジタル化された香り情報を画像・音・文字情報とともにインターネットを経由して、データ受信者（顧客）に伝達する。【０００５】データ受信者（顧客）はコンピュータに香り発生器を接続し、香りを発生させる。
【発明の効果】
【０００６】コンピュータ（パソコン）画面上の画像・文字・音（スピーカー）に香りが加わることにより、商品のより大きな現実感、臨場感を得ることができる。
【産業上の利用可能性】
【０００７】化粧品の通販、スターグッズのオークション、ホテル客室の予約、人物の紹介などに、それぞれの香りを顧客に伝えることにより、販売促進に寄与するため利用される可能性は高い。
【図面の簡単な説明】
【０００８】
【図１】当情報システムの概要図である。
【図１】
2007026410.tif 000002
(57)【要約】【課題】検算をする時に、前の計算結果を液晶画面から消さないようにする。検算用の二つの液晶画面を持つ電卓が発明されてはいるが、製作にあたり構造が複雑でコストも高くつき、普及していない。本発明は、このような点を鑑みて、構造を簡単にすることで製作コストを安価にして、検算のできる電卓を普及させようとするものである。【解決手段】上述の目的を達成する本発明の普及型の検算のできる電卓は、計算結果表示の液晶画面１の他に液晶画面２を付け加える。この液晶画面２は、入力用のキーとの配線はなく、パソコンなどで使われるコピー機能だけを持つことが特徴である。以上の構成であるから、計算結果を液晶画面１から液晶画面２にコピーすることにより、前の計算結果を消さないで検算ができる。また、液晶画面２にコピー機能しか持たせないことで、構造が簡単で製作コストも安価にできて、普及しやすくしたものである。【選択図】図１
2007026401.tif 000002
【特許請求の範囲】
【請求項１】
電卓の計算結果表示の液晶画面１の他に、もうひとつ計算結果表示の液晶画面２を付け加える。あらたに付け加えた液晶画面２には、入力用のキーとの配線はなく、パソコンなどで使われるコピー機能だけをもつことが特徴である。電卓のキーボードには、液晶画面１の計算結果を液晶画面２にコピーするためのコピースイッチ３を設ける。
以上のように構成された、製作工程も複雑でなく製作コストも安価にできる、普及型の検算のできる電卓である。
【発明の詳細な説明】
【技術分野】
【０００１】本発明は、従来の電卓にコピー機能を持った液晶画面をひとつ付け加えることで、検算ができる普及型の電卓に関するものである。
【背景技術】
【０００２】一般に普及している電卓は、液晶画面がひとつしかないために、検算をするたびに筆記具を用意して計算結果を書きとめてから、検算をしなければならなかった。【０００３】検算用の二つの液晶画面を持つ電卓も発明されてはいるが、入力キーと液晶画面との配線を切り替える方式であり、構造が複雑である。【０００４】なお、本願発明に関連する公知技術として、次の特許文献１を挙げることができる。【０００５】
【特許文献１】特開２０００−２６８００１号公報
【発明の開示】
【発明が解決しようとする課題】
【０００６】検算をする時に、第１回目の計算結果を液晶画面から消さないようにする。そのための検算用の二つの液晶画面を持つ電卓が発明されてはいるが、上述のように、構造が複雑で製作にあたりコストも高くつき、普及していない。
本発明は、このような点を鑑みて、構造を簡単にすることで製作コストを安価にして、検算のできる電卓を普及させようとするものである。
【課題を解決するための手段】
【０００７】上述の目的を達成する本発明の普及型の検算のできる電卓は、計算結果表示の液晶画面１の他にもうひとつの計算結果表示の液晶画面２を付け加える。新たに付け加えた液晶画面２は、入力用のキーとの配線はなく、パソコンなどで使われるコピー機能だけを持つことが特徴である。電卓のキーボードには、液晶画面１の計算結果を、液晶画面２にコピーするためのコピースイッチ３を設ける。【０００８】以上のような構成であるから、第１回目の計算結果が液晶画面１に表示されたら、その計算結果をパソコンなどで使われるコピー機能を使い、新たに付け加えた液晶画面２にコピースイッチ３でコピーすることにより、第１回目の計算結果を消さないで検算ができるようにするものである。
【発明の効果】
【０００９】以上説明したように、本発明によれば、すでに発明されている検算用の二つの液晶画面を持つ電卓のように、入力用のキーと液晶画面との配線を切り替える複雑な方式と違い、パソコンなどで使われるコピー機能を使うため、製作にあたり、構造も簡単で、コストも安価でできる。そのため、世の中に普及しやすい。【００１０】したがって、今まで世の多くの人が従来の液晶画面がひとつの電卓を使っているため、検算をするたびに筆記具を用意して計算結果を書きとめなければならず、転記ミスがあったりして不便を感じていたが、本発明により、計算の正確性と効率性を高めることができ、社会に貢献することができる。
【発明を実施するための最良の形態】
【００１１】本発明は以上のような構造であるから、これを使用するときは、第１回目の計算結果が液晶画面１に表示されたら、コピースイッチ３により、計算結果を液晶画面２にコピーしてから、その上で検算をする。
【実施例】
【００１２】なお、本発明の実施にあたって、液晶画面２に持たせる機能はコピー機能に限らず、やはりパソコンなどで使う切り取り貼り付け機能でもよい。それから、液晶画面の１と２の配置は図１に限定するものでなく、また、コピー機能を持った液晶画面は検算の回数に合わせて、増やすこともできる。
【産業上の利用可能性】
【００１３】専門職の人が検算をするには、すでに発明されている二つの液晶画面を持つ電卓を使う必要性があるかもしれないが、世の多くの一般の人は、そこまで高度な機能は必要としていない。とは言っても、検算の必要性は痛感しており、それでいながら、筆記具をいちいち用意しなければならない煩わしさからは開放されたい気持ちが強い。それだけに、本発明は多くの需要が見込める。
【図面の簡単な説明】
【００１４】
【図１】本発明を示した正面図である。
【符号の説明】
【００１５】１  液晶画面１
２  液晶画面２
３  コピースイッチ
４  ソーラー電池
【図１】
2007026401.tif 000003